(57)【特許請求の範囲】
【請求項１】
番組データ及び番組表データを受信する受信部と、
前記番組表データを記録可能な記録メディアと、
可搬記録メディア格納部に挿入された可搬記録メディアに前記番組データ及びこの番組データに対応する番組表データを記録すると共に、前記記録メディアに前記番組表データを記録する記録部と、
前記可搬記録メディアに対する記録履歴を保持する記録履歴保持部と、
前記可搬記録メディアが前記可搬記録メディア格納部に挿入されているか否かを検出する挿入検出手段と、
前記可搬記録メディアが前記可搬記録メディア格納部に挿入されていないことを前記検出手段が検出したときに、前記記録履歴に基づき、前記可搬記録メディアに記録されている番組データに対応した未記録の番組表データが前記受信部により受信されたことを検出すると、前記未記録の番組表データを前記記録メディアに記録するよう制御する第１の制御手段と、
前記可搬記録メディアが前記可搬記録メディア格納部に挿入されたことが前記検出手段によって検出されると、前記可搬記録メディアの前記可搬記録メディア格納部への挿入前に前記第１の制御手段によって前記記録メディアに記録された前記未記録の番組表データのうち、前記可搬記録メディア格納部に挿入されている前記可搬記録メディアに記録されている番組データに対応した未記録の番組表データを検出する検出手段と、
前記検出手段の検出結果に基づいて、前記記録メディアに記録されている未記録の番組表データを、前記可搬記録メディア格納部に挿入されている前記可搬記録メディアに記録されている番組データに関連付けて前記可搬記録メディアに記録するよう制御する第２の制御手段とを具備したことを特徴とする受信記録装置。
【請求項２】
前記未記録の番組表データは、前記可搬記録メディアへの記録後に更新された番組表データを含むことを特徴とする請求項１に記載の受信記録装置。
【請求項３】
前記記録部は、ユーザ操作に基づいて前記可搬記録メディアに記録する番組データが指定されることを特徴とする請求項１に記載の受信記録装置。
【請求項４】
前記第２の制御手段は、前記未記録の番組表データのうちユーザ操作に基づいて指定された番組表データのみを前記可搬記録メディアに記録することを特徴とする請求項１に記載の受信記録装置。
【請求項５】
番組データ及び番組表データを受信する手順と、
可搬記録メディア格納部に可搬記録メディアが挿入されている場合に、受信した前記番組データ及び番組表データを可搬記録メディアに記録する手順と、
前記可搬記録メディアに対する記録履歴を保持する手順と、
前記記録履歴に基づいて、前記可搬記録メディアに記録された番組データに対応し未記録の番組表データを受信する手順と、
可搬記録メディア格納部に可搬記録メディアが挿入されていない場合に、受信された前記未記録の番組表データを記録メディアに記録する第１の制御手順と、
前記可搬記録メディア格納部に可搬記録メディアが挿入されたことを検出する挿入検出手順と、
前記可搬記録メディアが前記可搬記録メディア格納部に挿入されたことが前記検出手順において検出されると、可搬記録メディアの前記可搬記録メディア格納部への挿入前に前記第１の制御手順において前記記録メディアに記録された前記未記録の番組表データのうち、前記可搬記録メディア格納部に挿入されている可搬記録メディアに記録されている番組データに対応した未記録の番組表データを検出する検出手順と、
前記検出手順の検出結果に基づいて、前記記録メディアに記録されている未記録の番組表データを、前記可搬記録メディア格納部に挿入されている可搬記録メディアに記録されている番組データに関連付けて前記可搬記録メディアに記録する第２の制御手順とを具備したことを特徴とする受信記録方法。
【発明の詳細な説明】
【０００１】
【発明の属する技術分野】
本発明は、番組データと番組表データとを記録する受信記録装置及び受信記録方法に関する。
【０００２】
【従来の技術】
近年、テレビジョン放送のディジタル化が急速に進んでいる。パーフェクＴＶ（SkyPerfecTV ）やディレクＴＶ（DirecTV ）等の通信衛星（ＣＳ）を使ったディジタル放送は既に開始されており、西暦２０００年からは放送衛星（ＢＳ）によるディジタル放送が、西暦２００３年からは地上波によるディジタル放送が計画されている。
【０００３】
ディジタル放送では、番組コンテンツである番組データの他にも、番組表データ（ＥＰＧ）等の番組付随情報が送信される。番組表データには番組の放送時刻、チャンネル、登場人物、ジャンル等のデータが含まれており、番組表データを使用することで、多チャンネルの番組から好きな番組を検索したり、録画予約を簡単に行なうことが可能になる。
【０００４】
番組表データは所定の時間間隔で逐次伝送されており、例えば番組が延長されたり、番組の放送時間が変更になった場合でも、新たに伝送される番組表データを用いて、録画予約時間を変更することも可能である。
【０００５】
ＮＨＫ（日本放送協会）が提唱するＩＳＤＢ（Integrated Services Digital Broadcasting, 統合ディジタル放送）では、番組表データは番組インデックスと番組内インデックスとによって構成されている。番組インデックスには番組全体に関する情報が記述されているのに対して、番組内インデックスには番組内のシーン毎に関する情報が記述されている。番組内インデックスを使うことで、番組のシーン毎の検索を行なったり、番組の一部を録画することも可能になる。
【０００６】
また、ＤＶＤ−ＲＡＭ等の可搬記録メディアに番組データを記録する場合に、番組表データを番組データと共に記録することもできる。これにより、ＤＶＤ−ＲＡＭにどのような番組が記録されているかの検索も容易になる。
【０００７】
番組表データは、対応する番組データと同時に伝送されることもあり、また、対応する番組データと前後して伝送されることもある。例えば、番組内インデックスは、生中継等の番組放送後に生成されることがあり、番組データの放送終了後の所定時間経過後に送信されることがある。
【０００８】
番組データの可搬記録メディアに対する記録から比較的長時間経過した後に対応する番組表データが送信される場合には、既に可搬記録メディアが記録装置から取り外されていることがある。この場合には、番組表データを可搬記録メディアに記録することはできない。
【０００９】
また、番組表データは所定の時間しか送信されていない。このため、一旦取り外した可搬記録メディアを番組表データの記録のために再度記録装置に取り付けた場合でも、必ずしも番組表データを記録することができるとは限らない。
【００１０】
【発明が解決しようとする課題】
このように、従来、番組表データが対応する番組データの送信時間と異なる時間に送信される場合には、可搬記録メディアが記録装置から取り外されて、可搬記録メディアに番組データと対応する番組表データとを記録することができないことがあるという問題点があった。
【００１１】
本発明は、番組表データが対応する番組データの送信時間と異なる時間に送信された場合でも、番組データと対応する番組表データとを確実に可搬記録メディアに記録することができる受信記録装置及び受信記録方法を提供することを目的とする。
【００１２】
【課題を解決するための手段】
本発明に係る受信記録装置は、番組データ及び番組表データを受信する受信部と、前記番組表データを記録可能な記録メディアと、可搬記録メディア格納部に挿入された可搬記録メディアに前記番組データ及びこの番組データに対応する番組表データを記録すると共に、前記記録メディアに前記番組表データを記録する記録部と、前記可搬記録メディアに対する記録履歴を保持する記録履歴保持部と、前記可搬記録メディアが前記可搬記録メディア格納部に挿入されているか否かを検出する挿入検出手段と、前記可搬記録メディアが前記可搬記録メディア格納部に挿入されていないことを前記検出手段が検出したときに、前記記録履歴に基づき、前記可搬記録メディアに記録されている番組データに対応した未記録の番組表データが前記受信部により受信されたことを検出すると、前記未記録の番組表データを前記記録メディアに記録するよう制御する第１の制御手段と、前記可搬記録メディアが前記可搬記録メディア格納部に挿入されたことが前記検出手段によって検出されると、前記可搬記録メディアの前記可搬記録メディア格納部への挿入前に前記第１の制御手段によって前記記録メディアに記録された前記未記録の番組表データのうち、前記可搬記録メディア格納部に挿入されている前記可搬記録メディアに記録されている番組データに対応した未記録の番組表データを検出する検出手段と、前記検出手段の検出結果に基づいて、前記記録メディアに記録されている未記録の番組表データを、前記可搬記録メディア格納部に挿入されている前記可搬記録メディアに記録されている番組データに関連付けて前記可搬記録メディアに記録するよう制御する第２の制御手段とを具備したものであり、
本発明に係る受信記録方法は、番組データ及び番組表データを受信する手順と、可搬記録メディア格納部に可搬記録メディアが挿入されている場合に、受信した前記番組データ及び番組表データを可搬記録メディアに記録する手順と、前記可搬記録メディアに対する記録履歴を保持する手順と、前記記録履歴に基づいて、前記可搬記録メディアに記録された番組データに対応し未記録の番組表データを受信する手順と、可搬記録メディア格納部に可搬記録メディアが挿入されていない場合に、受信された前記未記録の番組表データを記録メディアに記録する第１の制御手順と、前記可搬記録メディア格納部に可搬記録メディアが挿入されたことを検出する挿入検出手順と、前記可搬記録メディアが前記可搬記録メディア格納部に挿入されたことが前記検出手順において検出されると、可搬記録メディアの前記可搬記録メディア格納部への挿入前に前記第１の制御手順において前記記録メディアに記録された前記未記録の番組表データのうち、前記可搬記録メディア格納部に挿入されている可搬記録メディアに記録されている番組データに対応した未記録の番組表データを検出する検出手順と、前記検出手順の検出結果に基づいて、前記記録メディアに記録されている未記録の番組表データを、前記可搬記録メディア格納部に挿入されている可搬記録メディアに記録されている番組データに関連付けて前記可搬記録メディアに記録する第２の制御手順とを具備したものである。
【００１３】
本発明の請求項１において、受信部によって受信された番組データ及び番組表データは記録部によって可搬記録メディアに記録される。この記録履歴は記録履歴保持部に保持される。可搬記録メディアに対する記録が不能となった後に可搬記録メディアに記録した番組データに対応する未記録の番組表データが受信されると、第１の制御手段は、記録履歴に基づいて未記録の番組表データが受信されたことを検出して、未記録の番組表データを記録メディアに記録する。可搬記録メディアに対する記録が可能になると、第２の制御手段は、記録メディアに記録された未記録の番組表データを可搬記録メディアに記録する。
【００１４】
本発明の請求項５において、受信された番組データは可搬記録メディアに記録され、記録履歴が保持される。可搬記録メディアに記録された番組データに対応した未記録の番組表データを受信すると、記録履歴に基づいて、未記録の番組表データが受信されたことが検出され、この未記録の番組表データは記録メディアに記録される。可搬記録メディアへの記録が可能になると、記録メディアに記録された未記録の番組表データが可搬記録メディアに記録される。
【００１５】
【発明の実施の形態】
以下、図面を参照して本発明の実施の形態について詳細に説明する。図１は本発明に係る受信記録装置の一実施の形態を示すブロック図である。
【００１６】
受信記録装置１は、番組データや番組表データ（ＥＰＧ）を受信して可搬記録メディア２に記録するための装置である。可搬記録メディア２は、ＣＤやＤＶＤ−ＲＡＭ等の取り出し可能な記録メディアである。可搬記録メディア格納部３は、可搬記録メディア２を記録及び再生のために装置内に格納するためのものである。可搬記録メディア格納部３は、１枚の可搬記録メディアを挿入可能に構成してもよく、複数メディアを格納可能なオートチェンジャによって構成してもよい。可搬記録メディア格納部３をオートチェンジャによって構成する場合には、メディアを１枚づつ取り出すように構成してもよく、また、番組データが複数のメディアに跨っているときには複数のメディアを同時に取り出すように構成してもよい。
【００１７】
記録メディア４は、可搬記録メディア２に記録する番組表データを、可搬記録メディアに記録するまで保存しておくためのものであり、取り出し不能（可搬でない）ＨＤ（ハードディスク）や不揮発性メモリ等がある。
【００１８】
放送データ中には番組データ及び番組表データが含まれる。番組データ受信部５は、放送データ中に含まれる番組データを受信するようになっている。番組データ受信部５は受信した番組データを番組データ管理部７に出力する。
【００１９】
また、番組表データ受信部６は放送データ中に含まれる番組表データを受信する。番組表データは外線やネットワーク等によっても伝送されることがあり、番組表データ受信部６は、放送データだけでなく外線及びネットワーク等によって伝送される番組表データも受信するようになっている。番組表データ受信部６は受信した番組表データを番組表データ管理部８に出力する。
【００２０】
放送局は、番組表データ及び番組データを多重化して放送データとして送信することがある。この場合には、図示しない受信部によって受信した放送データを番組データと番組表データとに分離した後に、夫々番組データ受信部５又は番組表データ受信部６に供給して受信させるようにする。
【００２１】
番組データ管理部７は、後述する番組データ記録要求部10によって制御されて、番組データ受信部５で受信した番組データを管理するようになっている。番組データ管理部７は、番組データのうち可搬記録メディア２に記録させるべき番組データをデータ記録部９に出力するようになっている。
【００２２】
番組表データ管理部８は、番組データ記録要求部10に制御されて、番組表データ受信部６で受信した番組表データを管理する。番組表データ管理部８は、可搬記録メディア２や記録メディア４に記録させるべき番組表データをデータ記録部９に出力するようになっている。
【００２３】
データ記録部９は、番組データ管理部７から送られてきた番組データや、番組表データ管理部８から送られてきた番組表データを、可搬記録メディア２又は記録メディア４に記録するようになっている。
【００２４】
番組データ記録要求部10は、ユーザ操作に基づく信号であるユーザ入力が与えられ、記録したい番組データ及び番組表データを指定するための記録要求を、番組データ管理部７及び番組表データ管理部８に出力するようになっている。なお、ユーザは、例えば、画面表示された番組表データを参照しながら、記録したい番組を選択することができるようになっている。
【００２５】
本実施の形態においては、番組データの記録履歴を保存するために、番組データ記録履歴管理部11が設けられている。番組データ記録履歴管理部11には、データ記録部９が記録した番組データ及び番組表データについての記録履歴が入力されるようになっている。番組データ記録履歴管理部11は入力された記録履歴を保存する。
【００２６】
本実施の形態においては、番組表データ受信部６は、可搬記録メディア２が挿入されていないときにおいても、番組表データを受信することができる。番組表データ管理部８は、番組データ記録履歴管理部11を制御して記録履歴を読出すことによって、可搬記録メディア２が挿入されていない期間において受信した番組表データについての記録を管理するようになっている。即ち、番組表データ管理部８は、記録履歴に基づいて、番組表データ受信部６が受信した番組表データが可搬記録メディア２に記録されている番組データに対応する番組表データであって、可搬記録メディア２に記録されていない新しい番組表データ（以下、未記録の番組表データという）であることを検出すると、この未記録の番組表データを記録メディア４に与えて記録するようになっている。
【００２７】
なお、未記録の番組表データには、可搬記録メディア２に記録後に更新された新しい番組表データも含む。
【００２８】
番組表データ管理部８は、可搬記録メディア２が可搬記録メディア格納部３に格納されているときには、可搬記録メディア２から情報を読出して、可搬記録メディア２に記録されている番組データ及び番組表データを把握することができるようになっている。
【００２９】
番組表データ管理部８は、記録メディア４に対する記録履歴と可搬記録メディア２の記録履歴とから、可搬記録メディア２に記録されている番組データに対応する番組表データであって、可搬記録メディア２に記録されていない未記録の番組表データが記録メディア４に記録されていることを検出すると、可搬記録メディア２の再挿入時にこの番組表データを可搬記録メディア２に記録するようになっている。
【００３０】
次に、このように構成された実施の形態の動作について図２乃至図４及び図６の説明図並びに図５のフローチャートを参照して説明する。図２は番組全体の情報であるＥＰＧ（番組インデックス）の内容を示し、図３は番組のシーン毎の情報であるＥＰＧ（番組内インデックス）の内容を示している。また、図４は番組記録履歴の一例を示している。図５は実施の形態の動作フローを示している。図６は番組表データに基づく番組選択のための表示例を示している。
【００３１】
図２に示すように、番組インデックスには、番組名、チャネル、放送日時、開始時刻、終了時刻、ジャンル及び登場人物等の、番組全体の情報が記述されている。図３に示すように、番組内インデックスには、シーン、各シーンの開始時刻、終了時刻及び登場人物等の、シーン毎の情報が記述されている。また、図４に示すように、番組記録履歴には、チャネル、記録日時、記録開始時刻及び記録終了時刻等が記述されている。
【００３２】
放送局等から送信される番組表データは、繰り返し同一内容のデータが送信されるが、放送時間及び登場人物等が変更になると、新しいデータに更新されて送られる。例えば、図２の野球中継が延長されて終了時刻が２１：３０になると、終了時刻が２１：３０に変更された新しい番組表データが送信される。
【００３３】
図５のステップＳ1 において、可搬記録メディア２が可搬記録メディア格納部３に挿入される。放送局等から送信された放送データは番組データ受信部５に供給され、番組データ受信部５は番組データを受信する（ステップＳ2 ）。受信された番組データは番組データ管理部７に供給される。
【００３４】
また、ステップＳ3 において、番組表データ受信部６は放送データに含まれる番組表データを受信する。受信された番組表データは、番組表データ管理部８に供給される。
【００３５】
一方、ユーザは記録する番組データを指定するために図示しないリモコン等の操作部を操作する（ステップＳ4 ）。ユーザー操作に基づくユーザ入力は、番組データ記録要求部10に供給される。番組データ記録要求部10は、ユーザ操作に基づく記録要求を番組データ管理部７、番組表データ管理部８及び番組データ記録履歴管理部11に出力する。
【００３６】
例えば、ユーザは図６に示す番組表を参照しながら記録する番組を指定する。表示画面上には現在放送されている番組の一覧が表示されている。番組の一覧は、受信した番組表データから得ることができる。番組の中で記録したい番組をリモコンで選択して、録画ボタンを押すことにより、記録する番組を指定することができる。図６の例では、現在放送されている番組の中の４チャンネルのサッカー番組の記録を指定した例を示している。
【００３７】
番組データ管理部７は、番組データ受信部５から送られてくる番組データの中で、番組データ記録要求部10から受けた記録要求に一致する番組データをデータ記録部９に供給する。データ記録部９は、ステップＳ5 において、入力された番組データを可搬記録メディア２に記録する。
【００３８】
番組データの記録が終了すると、データ記録部９は番組データの記録履歴を番組データ記録履歴管理部11に送る。番組データ記録履歴管理部11は送られてきた番組データの記録履歴を保存しておく（ステップＳ6 ）。
【００３９】
次のステップＳ7 において、番組表データ管理部８は、番組表データ受信部６で受信した番組表データの中で、可搬記録メディア２に記録した番組データに対応する番組表データが存在するか否かを調べる。対応する番組表データが存在する場合には、番組表データ管理部８は対応する番組表データをデータ記録部９に出力する。データ記録部は９は入力された番組表データを可搬記録メディア２に記録する（ステップＳ8 ）。
【００４０】
なお、可搬記録メディア２に記録した番組データに対応する番組表データが送信されていない場合には、ステップＳ8 の処理はスキップされ、可搬記録メディア２への番組表データの記録は行なわれない。
【００４１】
ここで、例えばユーザが可搬記録メディア２を可搬記録メディア格納部３から取り出すものとする（ステップＳ9 ）。本実施の形態においては、可搬記録メディア２が再挿入されるまでの間、ステップＳ10〜Ｓ12に示す処理を行なう。
【００４２】
即ち、番組表データ受信部６はステップＳ10において番組表データを受信する。放送局から送信される番組表データについては、同一内容の番組表データが所定時間繰り返し送信されるので、番組表データ受信部６は一定時間毎に受信して、それ以外の場合は受信しなくてもよい。
【００４３】
番組表データ管理部８は、番組表データ受信部６で受信した番組表データの中で、可搬記録メディア２に記録した番組に対応する番組表データが存在するか否かを、番組記録履歴管理部11に問い合わせる。この場合には、記録した番組データに対応する未記録の番組表データが存在するか否かを判断するだけでなく、既に記録された番組表データであっても、記録時から更新された新しい番組表データが受信されているか否かについても判断する（ステップＳ11）。
【００４４】
新しい番組表データが受信されている場合には、番組表データ管理部８はこの未記録の番組表データをデータ記録部９に出力する。本実施の形態においては、データ記録部９は入力された番組表データを記録メディア４に保存する（ステップＳ12）。
【００４５】
記録メディア４に保存された未記録の番組表データは、次に可搬記録メディア２が挿入されるまで保存される。なお、可搬記録メディア２が再び挿入されない場合も起こり得る。また、再挿入されるのが数ヶ月後や数年後の場合も起こり得る。このような場合を考慮して、所定期間以上保存されている番組表データは記録メディア４から消去するようにしてもよい。また、番組記録履歴も、所定期間以上保存されている場合には消去するようにしてもよい。
【００４６】
ここで、ユーザが再び可搬記録メディア２を挿入するものとする（ステップＳ13）。可搬記録メディア格納部３は番組表データ管理部８に対して、可搬記録メディアが挿入されたことを通知する。番組表データ管理部８は、可搬記録メディア２に記録されている番組表データと、記録メディア４に保存されている番組表データとを比較する（ステップＳ14）。番組表データ管理部８は、新しい未記録の番組表データが記録メディア４に保存されている場合には、記録メディア４に保存されている番組表データを可搬記録メディア２に記録する（ステップＳ15）。番組表データ管理部８は記録メディア４に保存されてる番組表データのうち可搬記録メディア２に記録した番組表データについては消去する。
【００４７】
このように、本実施の形態においては、可搬記録メディア２への記録時に記録履歴を保存し、可搬記録メディア２が挿入されていない場合には、記録履歴に基づいて未記録の番組表データが受信されたことを検出して、この未記録の番組表データを記録メディア４に記録する。そして、可搬記録メディア２が再挿入されると、記録メディア４に保存されている未記録の新しい番組表データを可搬記録メディア２に記録している。これにより、番組データの送信から所定時間経過後に番組表データが送信されるような場合、つまり、新しい番組表データが可搬記録メディア２を取り出している間に送信されるような場合でも、可搬記録メディア２を再挿入した時に新しい番組表データを確実に可搬記録メディア２に記録することが可能になる。
【００４８】
なお、上記実施の形態では、新しい未記録の番組表データが記録メディア４に保存されている場合には、必ず番組表データを可搬記録メディア２に記録したが、番組表データを可搬記録メディア２に記録するか否かをユーザが選択するようにしてもよい。
【００４９】
図７はこのような選択を行う場合の画面表示を示す説明図である。図７では、新しい番組表データが到着していることを画面に表示して、番組表データを可搬記録メディア２に記録するか否かをユーザに選択させるようになっている。ここで、「はい」のボタンを押すと記録され、「いいえ」のボタンを押すと記録されない。これにより、必要な場合にのみ新しい番組表データを可搬記録メディア２に記録することが可能となり、使い勝手が向上する。
【００５０】
また、本実施の形態は録画予約を行う場合にも適用することができる。図８は録画予約を考慮した場合のアルゴリズムを示すフローチャートである。
【００５１】
ステップＳ21において、ユーザは可搬記録メディア２を可搬記録メディア格納部３に挿入する。可搬記録メディア２を挿入した後、番組表データ受信部６によって番組表データを受信する（ステップＳ22）。受信した番組表データは番組表データ管理部８に供給される。
【００５２】
ここで、ユーザは記録する番組データを指定する（ステップＳ23）。番組データ記録要求部10は記録要求を番組データ管理部７及び番組表データ管理部８に出力する。
【００５３】
図９は録画予約番組の指定方法の例を示している。表示画面には１２月１日に放送される予定の番組の一覧が表示されている。録画予約したい番組をリモコンで選択して、予約ボタンを押すことにより、番組の録画予約ができる。図９では、１２月１日に放送される番組のうち、６チャンネルのドラマＸを予約録画する例を示している。
【００５４】
その後、録画予約時に指定した開始時刻になったか否かを判定し（ステップＳ24）、開始時刻になっていない場合には開始時刻になるまで待機する（ステップＳ25）。開始時刻になると、番組データ受信部５で番組データを受信する（ステップＳ26）。以後の動作は、図５のステップＳ3 以降の処理と同様である。
【００５５】
【発明の効果】
以上説明したように本発明によれば、番組表データが対応する番組データの送信時間と異なる時間に送信された場合でも、番組データと対応する番組表データとを確実に可搬記録メディアに記録することができるという効果を有する。
【図面の簡単な説明】
【図１】本発明に係る受信記録装置の一実施の形態を示すブロック図。
【図２】実施の形態を説明するための説明図。
【図３】実施の形態を説明するための説明図。
【図４】実施の形態を説明するための説明図。
【図５】実施の形態の動作を説明するためのフローチャート。
【図６】実施の形態を説明するための説明図。
【図７】実施の形態を説明するための説明図。
【図８】実施の形態の動作を説明するためのフローチャート。
【図９】実施の形態を説明するための説明図。
【符号の説明】
２…可搬記録メディア、４…記録メディア、５…番組データ受信部、６…番組表データ受信部、７…番組データ管理部、８…番組表データ管理部、９…データ記録部、１０…番組データ記録要求部、１１…番組データ記録履歴管理部、
【図１】
0003679939.tif 000002
【図２】
0003679939.tif 000003
【図３】
0003679939.tif 000004
【図４】
0003679939.tif 000005
【図５】
0003679939.tif 000006
【図６】
0003679939.tif 000007
【図７】
0003679939.tif 000008
【図８】
0003679939.tif 000009
【図９】
0003679939.tif 000010